(57)【要約】【課題】  撮像装置に接続される外部装置によりオンスクリーンを自動表示して、操作性を向上させる撮像装置を提供する。【解決手段】  本発明の撮像装置は、撮像部と、前記撮像部からの映像信号に撮影関連情報を重畳する映像処理部と、外部の映像機器と、該映像機器の種別を識別可能に接続する通信インタフェースと、前記通信インタフェースに接続された映像機器が映像表示装置である場合には、前記映像処理部に前記撮像部からの前記映像信号に前記撮影関連情報を重畳させ、前記通信インタフェースから出力するように制御する制御部と、を有することを特徴とする。【選択図】  図１
2017022589.tif 000002
【特許請求の範囲】
【請求項１】
撮像部と、
前記撮像部からの映像信号に撮影関連情報を重畳する映像処理部と、
外部の映像機器と、該映像機器の種別を識別可能に接続する通信インタフェースと、
前記通信インタフェースに接続された映像機器が映像表示装置である場合には、前記映像処理部に前記撮像部からの前記映像信号に前記撮影関連情報を重畳させ、前記通信インタフェースから出力するように制御する制御部と、
を有することを特徴とする撮像装置。
【請求項２】
前記通信インタフェースに接続された映像機器の種別を該通信インタフェースに対応させて記憶する記憶部を有する、ことを特徴とする請求項１に記載の撮像装置。
【請求項３】
前記撮像装置を操作するための指令信号を入力する入力手段を備え、
前記制御部は、前記通信インタフェースに接続された映像機器が映像表示装置であり、かつ、前記入力手段から所定の指令信号が入力された場合には、前記映像処理部に前記撮像部からの前記映像信号に前記撮影関連情報を重畳させ、前記通信インタフェースから出力するように制御する、
ことを特徴とする請求項１又は２に記載の撮像装置。
【請求項４】
複数の前記通信インタフェースを備えることを特徴とする請求項１乃至３のいずれか１項に記載の撮像装置。
【請求項５】
前記通信インタフェースはＨＤＭＩ（登録商標）−ＣＥＣ規格の通信インタフェースであることを特徴とする請求項１乃至４のいずれか１項に記載の撮像装置。
【請求項６】
前記映像処理部からの前記映像信号をシリアルデジタル信号に変換して出力する映像出力部を有することを特徴とする請求項１乃至５のいずれか１項に記載の撮像装置。
【請求項７】
前記映像出力部に接続される第２の映像機器の種別を設定する手段を有し、
前記映像出力部に接続された第２の映像機器が映像表示装置である場合は、前記制御部は、前記映像処理部に前記撮像部からの前記映像信号に前記撮影関連情報を重畳させ、前記映像出力部から出力するように制御する、
ことを特徴とする請求項６に記載の撮像装置。
【請求項８】
前記映像処理部は前記撮影関連情報を前記撮影映像の周辺に配置するように重畳する、ことを特徴とする請求項１乃至７のいずれか１項に記載の撮像装置。
【請求項９】
前記撮影関連情報は、ズーム、フォーカス、絞り、シャッター、ゲイン、フィルタの設定の少なくともいずれかに関する情報を含む、ことを特徴とする請求項８に記載の撮像装置。
【発明の詳細な説明】
【技術分野】
【０００１】
本発明は、撮像装置に接続される外部装置によりオンスクリーンを自動表示して、操作性を向上させる撮像装置に関するものである。
【背景技術】
【０００２】
ビデオカメラやスチルカメラの小型化に伴い、操作スイッチの数を減らし、表示パネルに操作メニュをオンスクリーン表示するカメラが開示されている（特許文献１）。また、カメラ本体とＴＶ、モニタ等の表示装置を接続し、表示装置上にオンスクリーン表示を行うようにしたカメラが開示されている（特許文献２）。
【先行技術文献】
【特許文献】
【０００３】
【特許文献１】特許第４５５１５０５号公報
【特許文献２】特開２０１２−１６１０４５号公報
【発明の概要】
【発明が解決しようとする課題】
【０００４】
外部接続されたモニタを見ながらカメラ設定を行うには、まず、所定のスイッチを押下して（メニュスイッチ）、外部に接続されたモニタに所定の画像を表示する（以後、「オンスクリーン表示」とも記載する）ようにしなければならない。また、表示されたメニュは階層構造となっていることが多いため、設定したいサブ項目を十字キーや方向キーを操作して選択していかなければならず操作が煩わしい。
【０００５】
本発明の目的は、上述の問題点を解消し、接続される外部機器に応じて自動でオンスクリーン表示して、操作性の向上を図る撮像装置を提供することにある。
【課題を解決するための手段】
【０００６】
上記目的を達成するための本発明に係る撮像装置は、撮像部と、前記撮像部からの映像信号に撮影関連情報を重畳する映像処理部と、外部の映像機器と、該映像機器の種別を識別可能に接続する通信インタフェースと、前記通信インタフェースに接続された映像機器が映像表示装置である場合には、前記映像処理部に前記撮像部からの前記映像信号に前記撮影関連情報を重畳させ、前記通信インタフェースから出力するように制御する制御部と、を有することを特徴とする。
【発明の効果】
【０００７】
本発明に係る撮像装置は、接続される外部機器に応じてオンスクリーンを自動表示にして、操作性の向上を図る撮像装置を提供することにある。
【図面の簡単な説明】
【０００８】
【図１】本発明の撮像装置の実施例１の構成図
【図２】ＨＤＭＩ（登録商標）−ＣＥＣ論理アドレス
【図３】オンスクリーン表示用操作スイッチ例
【図４】（ａ）実施例１のメインメニュの表示例、（ｂ）実施例１のカメラ設定１の画面の表示例、（ｃ）実施例１のカメラ設定２の画面の表示例
【図５】実施例１のフローチャート
【図６】実施例２の構成図
【発明を実施するための形態】
【０００９】
本発明を図示の実施例に基づいて詳細に説明する。
【実施例１】
【００１０】
図１は、本発明の撮像装置１００の概略の構成図である。撮像装置１００は、撮像部１０１、映像信号処理部１０２（映像処理部）、ＣＰＵ１０３（制御部）、オンスクリーン生成部１０４ａ、１０４ｂ、ＨＤＭＩ入出力部１０５ａ、１０５ｂ、メモリ１０６、通信部１０７、操作部１０８から構成されている。また、撮像装置１００は、遠隔で撮像装置１００の操作を行うための外部操作器２００が通信部１０７と所定のケーブルで接続されている。更に撮像装置１００から出力される映像信号を録画するための外部録画機器３００が、ＨＤＭＩ入出力部１０５ａに、映像信号をモニタ表示する表示器４００がＨＤＭＩ入出力部１０５ｂにＨＤＭＩケーブルで接続されている。尚、撮像装置１００、外部録画機器３００、表示器４００は、後述するＨＤＭＩ−ＣＥＣ規格に対応した機器（映像機器）である。本実施例では、ＨＤＭＩ入出力部が２系統構成されているが、１系統、または、３系統以上の複数で構成されていても構わない。
【００１１】
撮像部１０１は、レンズ（不図示）からの光学像をＣＣＤやＣＭＯＳセンサー等の撮像素子（不図示）を介して光電変換し、アナログ信号として出力する。
【００１２】
映像信号処理部１０２は、撮像部１０１からのアナログ信号をデジタル変換し、ゲイン、輝度、色等の所定の画像処理をＣＰＵ１０３からの指令信号に応じて調整しデジタル映像信号としてＨＤＭＩ入出力部１０５ａ、１０５ｂへ出力する。また、後述するオンスクリーン生成部１０４ａ、１０４ｂからのオンスクリーン情報(以後、ＯＳＤ情報とも記載する)を受信し、撮影映像と撮像装置１００の操作機能を表示する文字や記号、アイコン等を合成する。
【００１３】
ＨＤＭＩ入出力部１０５ａ、１０５ｂは、接続される機器に応じてＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格（映像や音声をデジタル信号で伝送する通信インタフェースの標準規格）に準拠した所定の映像フォーマットに変換して映像信号を出力する。また、ＨＤＭＩ入出力部１０５ａ、１０５ｂは、ＨＤＭＩ−ＣＥＣ（Ｃｏｎｓｕｍｅｒ  Ｅｌｅｃｔｒｏｎｉｃｓ  Ｃｏｎｔｒｏｌ）規格にも対応したインタフェースである。ＨＤＭＩ−ＣＥＣは、ＨＤＭＩケーブルを介して各機器間で制御信号を双方向に伝送し、連携する機能である。ＨＤＭＩ−ＣＥＣ規格では、ＨＤＭＩケーブルで各機器を接続すると、各機器に固有の物理アドレスが割り当てられる。また、図２のように論理アドレスが決められていて、ＨＤＭＩ−ＣＥＣ規格のもとで機器が互いに接続されると、双方の論理アドレスが互いに認識され、接続された機器が何であるかが互いに認識される。この物理アドレスと論理アドレスに基づいて機器間で様々な制御が可能となる。本実施例では、各接続機器の物理アドレスは、表示器４００が［０．０．０．０］、撮像装置１００が［１．０．０．０］、外部録画機器３００が、［１．１．０．０］となる。また、論理アドレスは、表示器４００が［０］のＴＶ（受像機、映像表示装置）、撮像装置１００が［４］のＰｌａｙｂａｃｋ Ｄｅｖｉｃｅ１（再生装置１）、外部録画機器３００が、［１］のＲｅｃｏｒｄｉｎｇ Ｄｅｖｉｃｅ１（録画装置）となる。
【００１４】
ＣＰＵ１０３は、撮像部１０１、映像信号処理部１０２、オンスクリーン生成部１０４ａ、１０４ｂ、ＨＤＭＩ入出力部１０５ａ、１０５ｂ、メモリ１０６、通信部１０７、操作部１０８、と各々接続され、各部の設定や制御を行っている。
【００１５】
オンスクリーン生成部１０４ａ、１０４ｂは、操作部１０８、または、外部操作器２００で所定のスイッチを押下すると、ＣＰＵ１０３の制御に基づき、撮像装置１００の操作機能を表示する文字や記号、アイコン等のＯＳＤ情報を生成する。具体的には、文字、記号、アイコン等のビットマップデータ及びオンスクリーン表示する画面上の表示位置座標データが所定のフォーマットで映像信号処理部１０２へ送信される。オンスクリーン生成部１０４ａは、ＨＤＭＩ入出力部１０５ａ用、オンスクリーン生成部１０４ｂは、ＨＤＭＩ入出力部１０５ｂ用のＯＳＤ情報を映像信号処理部１０２へ送信する。
【００１６】
メモリ１０６（記憶部）は、ＣＰＵ１０３が撮像部１０１、映像信号処理部１０２等の各部に設定を行うための設定値や、表示器４００、外部録画機器３００のＨＤＭＩ−ＣＥＣに基づいた物理アドレスと論理アドレスを記憶する。
【００１７】
通信部１０７は、外部操作器２００で撮像装置１００のズーム、フォーカス、絞り、ゲイン、シャッター速度や、フィルタなどを操作する指令信号（コマンド）をＲＳ-２３２ＣやＲＳ-４２２等の所定のフォーマットで送受信するためのインタフェースである。また、外部操作器２００からの指令信号をＣＰＵ１０３と所定のフォーマットで送受信している。
【００１８】
操作部１０８は、撮像装置１００の操作を行うためのキースイッチや、タッチパネル等である。
【００１９】
次に、操作部１０８、または、外部操作器２００を操作して表示器４００にオンスクリーン表示する方法について説明する。
【００２０】
操作部１０８、または、外部操作器２００で図３のメニュスイッチを押下すると、ＣＰＵ１０３にメインメニュ表示の指令信号が入力され、撮像部１０１からの映像に図４（ａ）のようなメインメニュを重畳して表示する。更に、図３で方向キースイッチを操作してメインメニュ内の表示させたい項目を選択し、ＳＥＴスイッチを押下すると図４（ｂ）カメラ設定１、図４（ｃ）カメラ設定２等の画面を表示する。ここで、図４（ｂ）のカメラ設定１の画面は、撮像装置１００の全ての詳細設定が可能な画面例である。図４（ｃ）のカメラ設定２の画面は、撮像装置１００で操作頻度の高い設定項目（撮影関連情報）を表示した画面例である。具体的には、ゲイン、シャッター速度、フィルタ（ＮＤフィルタ等）、Ｆ値（絞り）、ズーム位置、フォーカス位置等である。また、表示させたい設定項目を事前に登録しておくことも可能である。更に、撮影映像をあまり遮蔽しないように設定項目を画面の周辺に配置している。
【００２１】
次に、本実施例の目的である接続される機器に応じてオンスクリーン表示を行う際の操作性の向上について図５のフローチャートを用いて説明する。
【００２２】
まず、撮像装置１００、外部録画機器３００、表示器４００がＨＤＭＩケーブルで接続されると、ＣＰＵ１０３は、物理アドレス及び論理アドレスを取得し（ステップＳ１）、メモリ１０６に保存する（ステップＳ２）。次に、ＣＰＵ１０３は、メモリ１０６から論理アドレスと物理アドレスを読み出す（ステップＳ３）。次にＣＰＵ１０３は、論理アドレス［０］の機器（ＴＶ、映像表示装置）が接続されているか判断する（ステップＳ４）。論理アドレス［０］の機器が接続されている場合、接続されているＨＤＭＩ入出力部へＯＳＤ情報を送信するオンスクリーン生成部に図４（ｃ）のようなカメラ設定２画面を表示する指令信号を送信する（ステップＳ５）。本実施例では、ＨＤＭＩ入出力部１０５ｂに接続されている表示器４００の論理アドレスが［０］（ＴＶ）であるので、ＣＰＵ１０３は、オンスクリーン生成部１０４ｂにカメラ設定２の画面を表示する指令信号を送信する。ここで、カメラ設定２の画面を表示するようにしているのは、撮影映像と、操作頻度の高い設定項目の両方を確認しやすくするためである。次に、オンスクリーン生成部１０４ｂは、映像信号処理部１０２にＯＳＤ情報を送信する（ステップＳ６）。映像信号処理部１０２は、撮影映像とともにカメラ設定２の画面であるオンスクリーン映像を合成した映像信号をＨＤＭＩ入出力部１０５ｂに送信する（ステップＳ７）。ＨＤＭＩ入出力部１０５ｂは、表示器４００の表示能力（解像度、操作周波数等）に対応した所定のフォーマットで出力する（ステップＳ８）。
【００２３】
ステップＳ４で、論理アドレスが［０］以外の機器、本実施例では、論理アドレスが［１］である外部録画機器３００へは、オンスクリーン表示を行わないで、所定のフォーマットで出力する（ステップＳ８）。ここで、外部録画機器３００にオンスクリーン表示を行わせていないのは、外部録画機器３００が撮影映像の録画中で誤ってオンスクリーン映像を録画してしまうことを防止するためである。しかし、外部録画機器３００が、操作部１０８、または、外部操作器２００の所定の録画開始コマンド（ＲＥＣコマンド）を受信して録画を開始する機能に対応している場合は、ＲＥＣコマンドが送信されるまで、オンスクリーン表示を行い、ＲＥＣコマンド受信後、オンスクリーン表示を非表示にして録画を開始しても良い。
【００２４】
以上説明してきたように、撮像装置１００は、各外部接続機器とＨＤＭＩケーブルを介して論理アドレスと物理アドレスを取得し、論理アドレス［０］の機器にオンスクリーン表示を自動で行うようにしている。これにより、いままで、所定のスイッチを押下してオンスクリーン表示を行う煩わしさを低減し、操作性の向上を図ることが出来る。また、オンスクリーン表示画面を撮像装置１００で操作頻度の高い設定画面にしていることで更に利便性が向上する。更に、外部録画機器に対しては、オンスクリーン自動表示を行わないことで、誤ってオンスクリーン映像を録画してしまうことを防止することも出来る。
【実施例２】
【００２５】
実施例１では、映像出力部がＨＤＭＩだけであったが、本実施例ではＳＤＩ出力部を新たに設けた点が実施例１と異なる。
【００２６】
図６に実施例２の構成図を示す。符号の同じものは、実施例１の図１と同じなので説明は省略する。ＳＤＩ出力部１１０は、映像信号処理部１０２からの映像信号をＳＭＰＴＥ(全米映画テレビジョン技術者協会)、ＡＲＩＢ（一般社団法人電波産業会）で規定されているＳＤＩ（シリアルデジタルインターフェース）規格であるＨＤ-ＳＤＩ、３Ｇ-ＳＤＩ信号等のシリアルデジタル信号に変換して出力する。オンスクリーン生成部１２０は、ＳＤＩ出力部１１０へオンスクリーン表示するためのＯＳＤ情報をＣＰＵ１０３の制御に基づきを映像信号処理部１０２へ送信する。
【００２７】
外部録画機器３１０は、撮像装置１００のＳＤＩ出力部１１０と同軸ケーブルで接続されている。
【００２８】
ＳＤＩは、撮像装置１００から外部機器への片方向伝送でありＨＤＭＩ-ＣＥＣ対応機器と異なり、接続機器同士で論理アドレス、物理アドレスを取得することが出来ない。
このような場合、ＣＰＵ１０３は、論理アドレス、物理アドレスが取得されている接続機器に対して、論理アドレスが［０］の場合、実施例１の図５フローチャートと同様にオンスクリーン表示を行う。論理アドレスが［１］の場合は、外部録画機器が接続されているのでオンスクリーン自動表示を行わない。
【００２９】
本実施例では、ＨＤＭＩ入出力部１０５に論理アドレス［０］の表示器が接続されているので図４（ｃ）カメラ設定画面２のオンスクリーン表示を行う。
【００３０】
一方、撮像装置１００はＳＤＩ出力部１１０に接続された外部録画機器３１０（第２の映像機器）の種別を自動で認識することができないためオンスクリーン表示を行わない。しかし、ＳＤＩ出力部１１０に接続する機器を事前に設定する画面を設けて、ＳＤＩ出力部１１０に接続する機器である外部録画機器３１０をメモリ１０６に登録するようにして、接続機器が、モニタの場合、オンスクリーン表示を自動で行い、外部録画機器の場合、オンスクリーン表示を自動で行わないようにしても良い。
【００３１】
以上説明してきたように、撮像装置１００は、ＨＤＭＩケーブルを介して接続できる機器に対して論理アドレスと物理アドレスを取得し、論理アドレス［０］の機器にオンスクリーン表示を自動で行うようにしている。これにより、いままで、所定のスイッチを押下してオンスクリーン表示を行う煩わしさを低減し、操作性の向上を図ることが出来る。
【００３２】
上記の実施例においては、画像情報を出力するインタフェースとして、ＨＤＭＩ−ＣＥＣを例示して説明したが、本発明はこれに限定されることはない。外部機器を、該外部機器の種別を識別可能に接続することができる通信インタフェースであれば、本発明は同様に適用できる。例えば、ＵＳＢやネットワーク通信のように双方向の通信が可能で、双方向の通信で互いに種別を確認可能な通信インタフェースであれば、本発明を適用し効果を享受することができる。
【符号の説明】
【００３３】
１００  撮像装置
１０１  撮像部
１０２  映像信号処理部
１０３  ＣＰＵ（制御部）
１０４ａ、１０４ｂ  オンスクリーン生成部
１０５ａ、１０５ｂ  ＨＤＭＩ入出力部
３００  外部録画機器
【図１】
2017022589.tif 000003
【図２】
2017022589.tif 000004
【図３】
2017022589.tif 000005
【図４】
2017022589.tif 000006
【図５】
2017022589.tif 000007
【図６】
2017022589.tif 000008